(57)【特許請求の範囲】
【請求項１】
受信信号から追従すべき複数のパス候補を検出し、その結果として、各パス候補に対応する「パスのタイミング」と「検出相関値」とを出力するパス検出手段と、
前記検出結果が個別に割り当てられ、それらの情報に基づいて、前記パス候補のタイミングから最適なパスのタイミングを選択するために必要な、所定の判定基準を生成する複数の判定基準生成手段と、
前記検出結果および前記所定の判定基準に基づいて、前記パス候補のタイミングのなかから追従すべき最適なパスのタイミングを選択する最適パス選択手段と、
外部から与えられる所定の受信基準タイミングと前記最適なパスのタイミングとを比較し、両者の位相差を計算する位相差演算手段と、
前記位相差に基づいてクロックを制御することで、前記受信基準タイミングを補正するタイミング補正手段と、
を備え、
前記最適パス選択手段は、状態として、「パス選択状態」、「前方保護状態」および「追尾パス保持状態」を有し、
前記「パス選択状態」のときは、前記検出相関値または前記所定の判定基準に基づいて、前記パス候補のなかから前記最適パスのタイミングを選択し、その後、「パス選択状態」から「追尾パス保持状態」へ状態を遷移し、
前記「追尾パス保持状態」のときは、最新のパス検出結果と現在の最適パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、
前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とするタイミング補正装置。
【請求項２】
前記「パス選択状態」のときは、前記所定の判定基準として、前記各判定基準生成手段に優先度を持たせ、最も優先度の高い判定基準生成手段に割り当てられたパスのタイミングを、最適パスのタイミングとして選択することを特徴とする請求の範囲第１項に記載のタイミング補正装置。
【請求項３】
前記「パス選択状態」のときは、前記所定の判定基準の１つである前記検出相関値を利用し、最も大きい検出相関値を持つ判定基準生成手段に割り当てられたパスのタイミングを、最適パスのタイミングとして選択することを特徴とする請求の範囲第１項に記載のタイミング補正装置。
【請求項４】
前記「パス選択状態」のときは、前記所定の判定基準として、前記各判定基準生成手段に検出相関値の安定度情報を持たせ、最も相関値変動の小さい相関値安定度情報を持つ判定基準生成手段に割り当てられたパスのタイミングを、最適パスのタイミングとして選択することを特徴とする請求の範囲第１項に記載のタイミング補正装置。
【請求項５】
前記「追尾パス保持状態」における比較の結果、予め規定された所定のサンプル数の誤差内にパスが存在する場合、当該パスが前記所定の更新条件を満たすこととし、そのパスのタイミングをつぎの最適パスのタイミングとして更新することを特徴とする請求の範囲第１項に記載のタイミング補正装置。
【請求項６】
前記「追尾パス保持状態」における比較の結果、予め規定された所定のサンプル数の誤差内に複数個のパスが存在する場合、現在の最適パスのタイミングに最も近いパスが前記所定の更新条件を満たすこととし、そのパスのタイミングをつぎの最適パスのタイミングとして更新することを特徴とする請求の範囲第１項に記載のタイミング補正装置。
【請求項７】
前記「追尾パス保持状態」における比較の結果、予め規定された所定のサンプル数の誤差内に複数個のパスが存在し、さらに現在の最適パスのタイミングから等距離かつ両極に２つのパスが存在するような場合、検出相関値の高い方のパスが前記所定の更新条件を満たすこととし、そのパスのタイミングをつぎの最適パスのタイミングとして更新することを特徴とする請求の範囲第１項に記載のタイミング補正装置。
【請求項８】
前記「追尾パス保持状態」における比較の結果、予め規定された所定のサンプル数の誤差内に複数個のパスが存在し、さらに現在の最適パスのタイミングから等距離かつ両極に２つのパスが存在するような場合、過去の追尾方向と同一の追尾極性方向をもつパスが前記所定の更新条件を満たすこととし、そのパスのタイミングをつぎの最適パスのタイミングとして更新することを特徴とする請求の範囲第１項に記載のタイミング補正装置。
【請求項９】
前記判定基準生成手段は、状態として、「パス選択状態」、「後方保護状態」、「前方保護状態」および「追尾パス保持状態」を有し、
前記「パス選択状態」のときは、前記検出結果に基づいて、割り当てられたパスのタイミングを出力し、その後、「パス選択状態」から「後方保護状態」へ状態を遷移し、
前記「後方保護状態」のときは、最新のパス検出結果と現在の出力パスのタイミングと比較し、予め規定された所定のサンプル数の誤差内にパスが存在しない場合に、「後方保護状態」から「パス選択状態」へ状態を遷移し、一方、予め規定された所定のサンプル数の誤差内にパスが存在し、かつ後方保護段数以上にわたって連続してパスが存在する場合に、「後方保護状態」から「追尾パス保持状態」へ状態を遷移し、
前記「追尾パス保持状態」のときは、最新のパス検出結果と現在の出力パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、
前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする請求の範囲第１項に記載のタイミング補正装置。
【請求項１０】
前記「追尾パス保持状態」における比較の結果、予め規定された所定のサンプル数の誤差内にパスが存在する場合、当該パスが前記所定の更新条件を満たすこととし、そのパスのタイミングをつぎの出力パスのタイミングとして更新することを特徴とする請求の範囲第９項に記載のタイミング補正装置。
【請求項１１】
前記「追尾パス保持状態」における比較の結果、予め規定された所定のサンプル数の誤差内に複数個のパスが存在する場合、現在の出力パスのタイミングに最も近いパスが前記所定の更新条件を満たすこととし、そのパスのタイミングをつぎの出力パスのタイミングとして更新することを特徴とする請求の範囲第９項に記載のタイミング補正装置。
【請求項１２】
前記「追尾パス保持状態」における比較の結果、予め規定された所定のサンプル数の誤差内に複数個のパスが存在し、さらに現在の出力パスのタイミングから等距離かつ両極に２つのパスが存在するような場合、検出相関値の高い方のパスが前記所定の更新条件を満たすこととし、そのパスのタイミングをつぎの出力パスのタイミングとして更新することを特徴とする請求の範囲第９項に記載のタイミング補正装置。
【請求項１３】
前記「追尾パス保持状態」における比較の結果、予め規定された所定のサンプル数の誤差内に複数個のパスが存在し、さらに現在の出力パスのタイミングから等距離かつ両極に２つのパスが存在するような場合、過去の追尾方向と同一の追尾極性方向をもつパスが前記所定の更新条件を満たすこととし、そのパスのタイミングをつぎの出力パスのタイミングとして更新することを特徴とする請求の範囲第９項に記載のタイミング補正装置。
【請求項１４】
前記各判定基準生成手段が持つ安定度情報は、前記検出相関値、当該検出相関値の変動幅の移動平均、過去の全変動幅の平均、変動幅の移動和、当該検出相関値の移動平均、またはそれらの値の組み合わせ、を用いて計算することを特徴とする請求の範囲第４項に記載のタイミング補正装置。
【請求項１５】
受信信号から追従すべき複数のパス候補を検出し、その結果として、各パス候補に対応する「パスのタイミング」と「検出相関値」とを出力するパス検出ステップと、
前記検出結果を個別に割り当て、それらの情報に基づいて、前記パス候補のタイミングから最適なパスのタイミングを選択するために必要な、所定の判定基準を生成する判定基準生成ステップと、
前記検出結果および前記所定の判定基準に基づいて、前記パス候補のタイミングのなかから追従すべき最適なパスのタイミングを選択する最適パス選択ステップと、
外部から与えられる所定の受信基準タイミングと前記最適なパスのタイミングとを比較し、両者の位相差を計算する位相差演算ステップと、
前記位相差に基づいてクロックを制御することで、前記受信基準タイミングを補正するタイミング補正ステップと、
を含み、
前記最適パス選択ステップにあっては、状態として、「パス選択状態」、「前方保護状態」および「追尾パス保持状態」を有し、
前記「パス選択状態」のときは、前記検出相関値または前記所定の判定基準に基づいて、前記パス候補のなかから前記最適パスのタイミングを選択し、その後、「パス選択状態」から「追尾パス保持状態」へ状態を遷移し、
前記「追尾パス保持状態」のときは、最新のパス検出結果と現在の最適パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、
前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とするタイミング補正方法。
【請求項１６】
前記判定基準生成ステップにあっては、状態として、「パス選択状態」、「後方保護状態」、「前方保護状態」および「追尾パス保持状態」を有し、
前記「パス選択状態」のときは、前記検出結果に基づいて、割り当てられたパスのタイミングを出力し、その後、「パス選択状態」から「後方保護状態」へ状態を遷移し、
前記「後方保護状態」のときは、最新のパス検出結果と現在の出力パスのタイミングと比較し、予め規定された所定のサンプル数の誤差内にパスが存在しない場合に、「後方保護状態」から「パス選択状態」へ状態を遷移し、一方、予め規定された所定のサンプル数の誤差内にパスが存在し、かつ後方保護段数以上にわたって連続してパスが存在する場合に、「後方保護状態」から「追尾パス保持状態」へ状態を遷移し、
前記「追尾パス保持状態」のときは、最新のパス検出結果と現在の出力パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、
前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする請求の範囲第１５項に記載のタイミング補正方法。
【発明の詳細な説明】
【０００１】
【発明の属する技術分野】
この発明は、ＣＤＭＡ（Code  Division  Multiple  Access）方式を採用する移動通信システムに収容される移動局内のタイミング補正装置に関するものであり、詳細には、ＣＤＭＡ通信信号の同期を確立するために必要なタイミング制御を実行する移動局内のタイミング補正回路、およびそのタイミング補正方法に関するものである。
【０００２】
【従来の技術】
以下、従来技術について説明する。たとえば、ＣＤＭＡ方式を採用する移動通信システム内の移動局においては、一定周期で受け取るパイロット信号に対して逆拡散処理および復調処理を実施することで、受信信号に対応する受信チャネルの受信タイミングを検出する。通常、移動通信環境においては、受信信号が、ＲＡＫＥパス検出器において複数の受信タイミング候補として検出される。このとき、候補として検出される各パスは、相関値および受信タイミングがそれぞれ異なっている。
【０００３】
そして、移動局では、上記複数の受信タイミング候補の中から、主となる受信タイミングを決定する。具体的にいうと、移動局では、予め保持している受信基準タイミングと最新の受信タイミング候補とを順次比較し、その比較結果に基づいて決定された最適な受信タイミングに一致させるように、受信基準タイミングを、すなわち、内部で管理するクロックを、補正する。
【０００４】
このように、移動局では、クロック補正によって、移動局および基地局間のクロック偏差や、伝搬距離の変動によるクロック偏差を吸収することで、最適な受信基準タイミングを得る。
【０００５】
上記、最適な受信基準タイミングを取得するためタイミング補正装置の具体例としては、たとえば、下記特許文献１に記載された装置がある。第４図は、上記公報に記載された従来のタイミング補正装置の構成を示す図である。第４図において、１０１は受信タイミング検出回路であり、１０２は比較回路であり、１０３は基準タイミング発生回路であり、１０４はクロック発生回路であり、１０５はタイミング補正制御回路であり、１０６は補正速度制御回路である。
【０００６】
ここで、上記タイミング補正装置の動作を説明する。まず、受信タイミング検出回路１０１では、受信信号に含まれたパイロット信号：Ｓ（１）に基づいて受信タイミング信号：Ｓ（２）を生成し、これを比較回路１０２に対して出力する。
【０００７】
一方、基準タイミング発生回路１０３では、クロック発生回路１０４から受け取ったクロック信号：Ｓ（３）に基づいて、上記受信タイミング信号：Ｓ（２）の周期とほぼ同一周期の基準タイミング信号：Ｓ（４）を生成し、これを比較回路１０２に対して出力する。
【０００８】
比較回路１０２では、上記受信タイミング信号：Ｓ（２）と基準タイミング信号Ｓ（４）とを比較し、その比較結果を比較結果信号：Ｓ（５）としてタイミング補正制御回路１０５に対して出力する。
【０００９】
その後、基準タイミング発生回路１０３では、比較回路１０２が受信タイミング信号：Ｓ（２）と基準タイミング信号：Ｓ（４）との間にずれを検出した場合、一致するように、基準タイミング信号：Ｓ（４）を補正する。
【００１０】
【特許文献１】
特開平１１−２６１４１０号公報
【００１１】
【発明が解決しようとする課題】
しかしながら、一般的に無線通信における受信波は、直接到来する直接波と建物等に反射して到来する複数の反射波で構成される「マルチパス」、として伝送される。そして、直接波に対する反射波の遅延量は、一定ではなく、たとえば、周囲の建物や地形に左右され、ダイナミックに変動する。また、移動局においては、移動による伝搬経路の変化から受信波の受信タイミングが刻々と変化する。
【００１２】
そのため、移動通信環境では、常に直接波を受信するとは限らず、たとえば、反射波から受信タイミングを検出し、受信基準タイミングが、反射波の受信タイミングに一致するように誤って補正されてしまう場合がある。また、つぎのタイミングでは、直接波から受信タイミングを検出し、受信基準タイミングが、直接波の受信タイミングに一致するように補正されてしまうことも考えられる。
【００１３】
このように、上記文献に記載された従来のクロック補正装置では、直接波と反射波との伝搬経路差が大きいような場合に、受信基準タイミングが頻繁に補正され、さらに受信するＲＡＫＥパス切り替えが頻繁に発生することとなり、これに伴って、受信基準タイミングの補正負荷量が増大する、という問題があった。また、上記従来のクロック補正装置では、受信基準タイミングの誤追従により、フィンガへのパス割り当て更新頻度が増大する、という問題もあった。
【００１４】
本発明は、上記に鑑みてなされたものであって、受信基準タイミングの補正負荷量の減少、およびパス割り当て更新頻度の低減を実現することにより、効率よく最適な受信基準タイミングを決定することが可能なタイミング補正装置、およびそのタイミング補正方法を提供することを目的としている。
【００１５】
【課題を解決するための手段】
本発明にかかるタイミング補正装置にあっては、受信信号から追従すべき複数のパス候補を検出し、その結果として、各パス候補に対応する「パスのタイミング」と「検出相関値」とを出力するパス検出手段（後述する実施の形態のＲＡＫＥパス検出回路１に相当）と、前記検出結果が個別に割り当てられ、それらの情報に基づいて、前記パス候補のタイミングから最適なパスのタイミングを選択するために必要な、所定の判定基準を生成する複数の判定基準生成手段（追尾パス候補判定回路２ａ，２ｂ，２ｃ…に相当）と、前記検出結果および前記所定の判定基準に基づいて、前記パス候補のタイミングのなかから追従すべき最適なパスのタイミングを選択する最適パス選択手段（追尾パス選択回路３に相当）と、外部から与えられる所定の受信基準タイミングと前記最適なパスのタイミングとを比較し、両者の位相差を計算する位相差演算手段（比較回路５に相当）と、前記位相差に基づいてクロックを制御することで、前記受信基準タイミングを補正するタイミング補正手段（タイミング補正制御回路６、クロック発生回路７、受信基準カウンタ４に相当）と、を備えることを特徴とする。
【００１６】
この発明によれば、各判定基準生成手段からの出力に基づいて受信基準タイミング周辺の最適なパスを選択し、当該選択パスと予め規定された受信基準タイミングとの位相差に基づいて内部クロックを補正することで、常にサーチャおよびフィンガのウィンドウの中心を、受信基準タイミングにあわせ込む。これにより、受信基準タイミング周辺のマルチパス検出を効率的に行うことができるため、受信基準タイミングの補正負荷量を減少させることができ、さらに、受信基準タイミング周辺以外でもパスの更新を行う従来技術と比較して、パス割り当て更新の頻度を大幅に低減させることができる。
【００１７】
つぎの発明にかかるタイミング補正装置において、最適パス選択手段は、状態として、「パス選択状態」、「前方保護状態」および「追尾パス保持状態」を有し、前記「パス選択状態」のときは、前記検出相関値または前記所定の判定基準に基づいて、前記パス候補のなかから前記最適パスのタイミングを選択し、その後、「パス選択状態」から「追尾パス保持状態」へ状態を遷移し、前記「追尾パス保持状態」のときは、最新のパス検出結果と現在の最適パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする。
【００１８】
この発明によれば、最適パス選択手段を備えることで、たとえば、「パス選択状態」に遷移した場合においても、後方保護状態に遷移することなく、各判定基準生成手段の出力パスのタイミングから最適パスのタイミングを選択することで、ただちに「追尾パス保持状態」に移行できるため、タイミング補正にかかる動作速度を大幅に向上させることができる。
【００１９】
つぎの発明にかかるタイミング補正装置において、「パス選択状態」のときは、前記所定の判定基準として、前記各判定基準生成手段に優先度を持たせ、最も優先度の高い判定基準生成手段に割り当てられたパスのタイミングを、最適パスのタイミングとして選択することを特徴とする。
【００２０】
この発明によれば、最も優先度の高いパスのタイミングを選択する最適パス選択手段を備えることにより、複数のパス候補のなかから最も安定したパスを選択することができる。
【００２１】
つぎの発明にかかるタイミング補正装置において、「パス選択状態」のときは、前記所定の判定基準の１つである前記検出相関値を利用し、最も大きい検出相関値を持つ判定基準生成手段に割り当てられたパスのタイミングを、最適パスのタイミングとして選択することを特徴とする。
【００２２】
この発明によれば、最も大きい検出相関値を持つパスのタイミングを選択する最適パス選択手段を備えることにより、複数のパス候補のなかから最も安定したパスを選択することができる。
【００２３】
つぎの発明にかかるタイミング補正装置において、「パス選択状態」のときは、前記所定の判定基準として、前記各判定基準生成手段に検出相関値の安定度情報を持たせ、最も相関値変動の小さい相関値安定度情報を持つ判定基準生成手段に割り当てられたパスのタイミングを、最適パスのタイミングとして選択することを特徴とする。
【００２４】
この発明によれば、最も相関値変動の小さい相関値安定度情報を持つパスのタイミングを選択する最適パス選択手段を備えることにより、複数のパス候補のなかから最も安定したパスを選択することができる。
【００２５】
つぎの発明にかかるタイミング補正装置にあっては、「追尾パス保持状態」における比較の結果、予め規定された所定のサンプル数の誤差内にパスが存在する場合、当該パスが前記所定の更新条件を満たすこととし、そのパスのタイミングをつぎの最適パスのタイミングとして更新することを特徴とする。
【００２６】
この発明によれば、予め規定された所定のサンプル数の誤差内にパスが存在する場合に、前記所定の更新条件を満たすこととしたため、位相差演算手段に対して、最も安定したパスのタイミングを提供できる。
【００２７】
つぎの発明にかかるタイミング補正装置にあっては、「追尾パス保持状態」における比較の結果、予め規定された所定のサンプル数の誤差内に複数個のパスが存在する場合、現在の最適パスのタイミングに最も近いパスが前記所定の更新条件を満たすこととし、そのパスのタイミングをつぎの最適パスのタイミングとして更新することを特徴とする。
【００２８】
この発明によれば、予め規定された所定のサンプル数の誤差内に複数個のパスが存在する場合、現在の最適パスのタイミングに最も近いパスが所定の更新条件を満たすこととしたため、位相差演算手段に対して、最も安定したパスのタイミングを提供できる。
【００２９】
つぎの発明にかかるタイミング補正装置にあっては、「追尾パス保持状態」における比較の結果、予め規定された所定のサンプル数の誤差内に複数個のパスが存在し、さらに現在の最適パスのタイミングから等距離かつ両極に２つのパスが存在するような場合、検出相関値の高い方のパスが前記所定の更新条件を満たすこととし、そのパスのタイミングをつぎの最適パスのタイミングとして更新することを特徴とする。
【００３０】
この発明によれば、予め規定された所定のサンプル数の誤差内に複数個のパスが存在し、さらに現在の最適パスのタイミングから等距離かつ両極に２つのパスが存在するような場合、検出相関値の高い方のパスが所定の更新条件を満たすこととしたため、位相差演算手段に対して、最も安定したパスのタイミングを提供できる。
【００３１】
つぎの発明にかかるタイミング補正装置にあっては、「追尾パス保持状態」における比較の結果、予め規定された所定のサンプル数の誤差内に複数個のパスが存在し、さらに現在の最適パスのタイミングから等距離かつ両極に２つのパスが存在するような場合、過去の追尾方向と同一の追尾極性方向をもつパスが前記所定の更新条件を満たすこととし、そのパスのタイミングをつぎの最適パスのタイミングとして更新することを特徴とする。
【００３２】
この発明によれば、予め規定された所定のサンプル数の誤差内に複数個のパスが存在し、さらに現在の最適パスのタイミングから等距離かつ両極に２つのパスが存在するような場合、過去の追尾方向と同一の追尾極性方向をもつパスが所定の更新条件を満たすこととしたため、位相差演算手段に対して、最も安定したパスのタイミングを提供できる。
【００３３】
つぎの発明にかかるタイミング補正装置において、判定基準生成手段は、状態として、「パス選択状態」、「後方保護状態」、「前方保護状態」および「追尾パス保持状態」を有し、前記「パス選択状態」のときは、前記検出結果に基づいて、割り当てられたパスのタイミングを出力し、その後、「パス選択状態」から「後方保護状態」へ状態を遷移し、前記「後方保護状態」のときは、最新のパス検出結果と現在の出力パスのタイミングと比較し、予め規定された所定のサンプル数の誤差内にパスが存在しない場合に、「後方保護状態」から「パス選択状態」へ状態を遷移し、一方、予め規定された所定のサンプル数の誤差内にパスが存在し、かつ後方保護段数以上にわたって連続してパスが存在する場合に、「後方保護状態」から「追尾パス保持状態」へ状態を遷移し、前記「追尾パス保持状態」のときは、最新のパス検出結果と現在の出力パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする。
【００３４】
この発明によれば、割り当てられたパスのタイミングを出力可能な複数の判定基準生成手段を備えることで、たとえば、最適パス選択手段が、パスを見失った場合においても、迅速に最適なパスを選択することができるようになるため、より確実なクロック補正を実施できる。
【００３５】
つぎの発明にかかるタイミング補正装置にあっては、「追尾パス保持状態」における比較の結果、予め規定された所定のサンプル数の誤差内にパスが存在する場合、当該パスが前記所定の更新条件を満たすこととし、そのパスのタイミングをつぎの出力パスのタイミングとして更新することを特徴とする。
【００３６】
この発明によれば、予め規定された所定のサンプル数の誤差内にパスが存在する場合に、前記所定の更新条件を満たすこととしたため、最適パス選択手段に対して、最も安定したパスのタイミングを提供できる。
【００３７】
つぎの発明にかかるタイミング補正装置にあっては、「追尾パス保持状態」における比較の結果、予め規定された所定のサンプル数の誤差内に複数個のパスが存在する場合、現在の出力パスのタイミングに最も近いパスが前記所定の更新条件を満たすこととし、そのパスのタイミングをつぎの出力パスのタイミングとして更新することを特徴とする。
【００３８】
この発明によれば、予め規定された所定のサンプル数の誤差内に複数個のパスが存在する場合、現在の最適パスのタイミングに最も近いパスが所定の更新条件を満たすこととしたため、最適パス選択手段に対して、最も安定したパスのタイミングを提供できる。
【００３９】
つぎの発明にかかるタイミング補正装置にあっては、「追尾パス保持状態」における比較の結果、予め規定された所定のサンプル数の誤差内に複数個のパスが存在し、さらに現在の出力パスのタイミングから等距離かつ両極に２つのパスが存在するような場合、検出相関値の高い方のパスが前記所定の更新条件を満たすこととし、そのパスのタイミングをつぎの出力パスのタイミングとして更新することを特徴とする。
【００４０】
この発明によれば、予め規定された所定のサンプル数の誤差内に複数個のパスが存在し、さらに現在の最適パスのタイミングから等距離かつ両極に２つのパスが存在するような場合、検出相関値の高い方のパスが所定の更新条件を満たすこととしたため、最適パス選択手段に対して、最も安定したパスのタイミングを提供できる。
【００４１】
つぎの発明にかかるタイミング補正装置にあっては、「追尾パス保持状態」における比較の結果、予め規定された所定のサンプル数の誤差内に複数個のパスが存在し、さらに現在の出力パスのタイミングから等距離かつ両極に２つのパスが存在するような場合、過去の追尾方向と同一の追尾極性方向をもつパスが前記所定の更新条件を満たすこととし、そのパスのタイミングをつぎの出力パスのタイミングとして更新することを特徴とする。
【００４２】
この発明によれば、予め規定された所定のサンプル数の誤差内に複数個のパスが存在し、さらに現在の最適パスのタイミングから等距離かつ両極に２つのパスが存在するような場合、過去の追尾方向と同一の追尾極性方向をもつパスが所定の更新条件を満たすこととしたため、最適パス選択手段に対して、最も安定したパスのタイミングを提供できる。
【００４３】
つぎの発明にかかるタイミング補正装置において、各判定基準生成手段が持つ安定度情報は、前記検出相関値、当該検出相関値の変動幅の移動平均、過去の全変動幅の平均、変動幅の移動和、当該検出相関値の移動平均、またはそれらの値の組み合わせ、を用いて計算することを特徴とする。
【００４４】
この発明によれば、上記安定度情報を計算する複数の判定基準生成手段を備えることで、たとえば、最適パス選択手段が、複数のパス候補のなかから最も安定したパスを選択できるようになる。これにより、マルチパスに対して誤って追従してしまうようなパス変更の頻度が大幅に低減され、従来発生していた無駄なクロック補正を防止することができる。
【００４５】
つぎの発明にかかるタイミング補正方法にあっては、受信信号から追従すべき複数のパス候補を検出し、その結果として、各パス候補に対応する「パスのタイミング」と「検出相関値」とを出力するパス検出ステップと、前記検出結果を個別に割り当て、それらの情報に基づいて、前記パス候補のタイミングから最適なパスのタイミングを選択するために必要な、所定の判定基準を生成する判定基準生成ステップと、前記検出結果および前記所定の判定基準に基づいて、前記パス候補のタイミングのなかから追従すべき最適なパスのタイミングを選択する最適パス選択ステップと、外部から与えられる所定の受信基準タイミングと前記最適なパスのタイミングとを比較し、両者の位相差を計算する位相差演算ステップと、前記位相差に基づいてクロックを制御することで、前記受信基準タイミングを補正するタイミング補正ステップと、を含むことを特徴とする。
【００４６】
この発明によれば、判定基準生成ステップによる出力に基づいて受信基準タイミング周辺の最適なパスを選択し、当該選択パスと予め規定された受信基準タイミングとの位相差に基づいて内部クロックを補正することで、常にサーチャおよびフィンガのウィンドウの中心を、受信基準タイミングにあわせ込む。これにより、受信基準タイミング周辺のマルチパス検出を効率的に行うことができるため、受信基準タイミングの補正負荷量を減少させることができ、さらに、受信基準タイミング周辺以外でもパスの更新を行う従来技術と比較して、パス割り当て更新の頻度を大幅に低減させることができる。
【００４７】
つぎの発明にかかるタイミング補正方法において、最適パス選択ステップにあっては、状態として、「パス選択状態」、「前方保護状態」および「追尾パス保持状態」を有し、前記「パス選択状態」のときは、前記検出相関値または前記所定の判定基準に基づいて、前記パス候補のなかから前記最適パスのタイミングを選択し、その後、「パス選択状態」から「追尾パス保持状態」へ状態を遷移し、前記「追尾パス保持状態」のときは、最新のパス検出結果と現在の最適パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする。
【００４８】
この発明によれば、最適パス選択ステップを含むことで、たとえば、「パス選択状態」に遷移した場合においても、後方保護状態に遷移することなく、各判定基準生成手段の出力パスのタイミングから最適パスのタイミングを選択することで、ただちに「追尾パス保持状態」に移行できるため、タイミング補正にかかる動作速度を大幅に向上させることができる。
【００４９】
つぎの発明にかかるタイミング補正方法において、判定基準生成ステップにあっては、状態として、「パス選択状態」、「後方保護状態」、「前方保護状態」および「追尾パス保持状態」を有し、前記「パス選択状態」のときは、前記検出結果に基づいて、割り当てられたパスのタイミングを出力し、その後、「パス選択状態」から「後方保護状態」へ状態を遷移し、前記「後方保護状態」のときは、最新のパス検出結果と現在の出力パスのタイミングと比較し、予め規定された所定のサンプル数の誤差内にパスが存在しない場合に、「後方保護状態」から「パス選択状態」へ状態を遷移し、一方、予め規定された所定のサンプル数の誤差内にパスが存在し、かつ後方保護段数以上にわたって連続してパスが存在する場合に、「後方保護状態」から「追尾パス保持状態」へ状態を遷移し、前記「追尾パス保持状態」のときは、最新のパス検出結果と現在の出力パスのタイミングとを比較することでパスの更新処理を行うかどうかを判断し、比較の結果、所定の更新条件を満たすパスが存在する場合に前記更新処理を行い、一方、予め規定された所定サンプル数の誤差内にパスが存在しない場合に「追尾パス保持状態」から「前方保護状態」へ状態を遷移し、前記「前方保護状態」のときは、前記予め規定された所定のサンプル数の誤差内にパスが存在しない場合においても、前方保護段数以内にパスが存在するのであれば、現在の最適パスのタイミングを保持し、一方、前方保護段数以上にわたって連続してパスが存在しないのであれば、「前方保護状態」から「パス選択状態」に状態を遷移することを特徴とする。
【００５０】
この発明によれば、割り当てられたパスのタイミングを出力する判定基準生成ステップを備えることで、たとえば、最適パス選択ステップにて、パスを見失った場合においても、迅速に最適なパスを選択することができるようになるため、より確実なクロック補正を実施できる。
【００５１】
【発明の実施の形態】
本発明をより詳細に説術するために、添付の図面に従ってこれを説明する。
【００５２】
まず、本発明にかかるタイミング補正装置の構成について説明する。第１図は、本発明にかかるタイミング補正装置の構成を示す図である。第１図において、１はＲＡＫＥパス検出回路であり、２ａ，２ｂ，２ｃ…は追尾パス候補判定回路であり、３は追尾パス選択回路であり、４は受信基準カウンタであり、５は比較回路であり、６はタイミング補正制御回路であり、７はクロック発生回路（Ｃｌｏｃｋ  Ｇｅｎ）である。
【００５３】
以下、本発明にかかるタイミング補正装置の動作について説明する。まず、移動機が受け取った受信ベースバンド信号は、ＲＡＫＥパス検出回路１に入力され、ＲＡＫＥパス検出回路１では、この受信信号に基づいて、複数の有効なパス候補を検出する。その後、ＲＡＫＥパス検出回路１では、ＲＡＫＥパス検出結果である、「各パスのタイミング」と「検出相関値」とを追尾パス候補判定回路２ａ，２ｂ，２ｃ…および追尾パス選択回路３に対して出力する。なお、上記ＲＡＫＥ検出は、ｎ（整数）倍のオーバーサンプリング周期で行われる。
【００５４】
各追尾パス候補判定回路には、上記「各パスのタイミング」と「検出相関値」が検出パス単位に割り当てられ、ここで、追尾パス選択回路３にて最適なパスを選択するために必要な所定の判定基準を生成し、そして出力する。追尾パス選択回路３では、上記ＲＡＫＥパス検出結果および上記所定の判定基準に基づいて、検出されたパスのなかから追尾すべき最適なパスを選択する。なお、所定の判定基準の１つである、各追尾パス候補判定回路が出力する「パスのタイミング」を、以降、２ｎｄメインパスタイミングと呼ぶ。
【００５５】
具体的にいうと、追尾パス選択回路３では、たとえば、初期状態のときは、ＲＡＫＥパス検出結果に基づいて最適なパスを選択し、一方、初期状態以外のときには、上記所定の判定基準に基づいて、２ｎｄメインパスタイミングに対応するパスのなかから最適なパスを選択する。
【００５６】
その後、追尾パス選択回路３では、選択した「パスのタイミング」を、追尾すべき「パスのタイミング」として、比較回路５に対して出力する。なお、追尾すべきパスのタイミングである、追尾パス選択回路が出力する「パスのタイミング」を、以降、１ｓｔメインパスタイミングと呼ぶ。
【００５７】
１ｓｔメインパスタイミングを受け取った比較回路５では、外部から与えられる所定の受信基準タイミングおよびクロック発生回路７からのクロック信号に基づいてカウントされる基準カウンタ値と、当該１ｓｔメインパスタイミングと、を比較する。具体的にいうと、たとえば、移動機がもつ内部クロックと基地局がもつ内部クロックは、完全に同一の周期で動作するのではなく、一定のクロック偏差をもつ。また、このクロック偏差は、フェージング等の影響で一定でない場合もある。そのため、基地局から送信される情報を正確に受信するためには、上記クロック偏差を常に補正しておく必要がある。そこで、比較回路５では、１ｓｔメインパスタイミングと、受信チャネルオープン時に設定される受信基準タイミングと、の間にずれが生じていないかどうかを、上記のように比較することで確かめる。
【００５８】
ただし、１ｓｔメインパスタイミングが共通制御チャネルのタイミングを表し、一方の受信基準タイミングが受信基準タイミングを表しているため、比較回路５では、いずれかのチャネルのタイミングに統一してから比較処理を行う。
【００５９】
その後、比較回路５にて検出された両者の位相差は、タイミング補正制御回路６に対して出力される。タイミング補正制御回路６では、一定周期（ｐｅｒｉｏｄ  ｆｒａｍｅ）おきに、上記位相差に対応する補正量をクロック発生回路７に対して出力する。たとえば、受信基準タイミングと１ｓｔメインパスタイミングとの間に、所定値（たとえば、１／４ｃｈｉｐ）以上の位相差がある場合には、上記一定周期に１回の割合で、クロック発生回路７に対してクロック補正指示を発生する。そして、クロック発生回路７では、通知された補正量に応じてカウンタ値を補正する。
【００６０】
このように、本実施の形態では、各追尾パス候補判定回路からの出力に基づいて受信基準タイミング周辺の最適なパスを選択し、当該選択パスと予め規定された受信基準タイミングとの位相差に基づいて内部クロックを補正することで、常にサーチャおよびフィンガのウィンドウの中心を、受信基準タイミングにあわせ込むように動作する。これにより、受信基準タイミング周辺のマルチパス検出を効率的に行うことができるため、受信基準タイミングの補正負荷量を減少させることができ、さらに、受信基準タイミング周辺以外でもパスの更新を行う従来技術と比較して、パス割り当て更新の頻度を大幅に低減させることができる。
【００６１】
つぎに、上記追尾パス選択回路３の動作を詳細に説明する。図２は、追尾パス選択回路３の状態遷移を示す図である。追尾パス選択回路３は、状態として、たとえば、「パス選択状態」，「前方保護状態」，および「追尾パス保持状態」を有する。
【００６２】
まず、チャネルオープン時における「パス選択状態」のとき、追尾パス選択回路３では、ＲＡＫＥパス検出回路１にて検出されたパスのなかから、検出相関値の最も大きいパスを１ｓｔメインパスタイミングに対応するパスとして選択する。一方、それ以外における「パス選択状態」のとき、追尾パス選択回路３では、複数の２ｎｄメインパスタイミングとして割り当てられたパスのなかから、１ｓｔメインパスタイミングに対応するパスを選択する。ただし、２ｎｄメインパスタイミングとして割り当て可能なパスがない場合には、１ｓｔメインパスタイミングの更新を行わない。上記動作で、１ｓｔメインパスタイミングに対応するパスが選択された場合、追尾パス選択回路３は、「パス選択状態」から「追尾パス保持状態」へ状態を遷移する。
【００６３】
ここで、１ｓｔメインパスタイミングに対応する最適なパスの選択方法を具体的に説明する。
（１）第１の方法として、たとえば、各追尾パス候補判定回路に対してそれぞれ優先度を設定しておき、最も優先度の高い追尾パス候補判定回路から出力された２ｎｄメインパスタイミングに対応するパスを、１ｓｔメインパスタイミングに対応するパスとして選択する。ただし、１ｓｔメインパスタイミングの変更が一定時間に特定の回数以上発生した場合には、現在２番目に設定されている追尾パス候補判定回路の優先度を１つ上げる。
（２）第２の方法として、追尾状態になっている２ｎｄメインパスタイミングとして割り当てられた複数のパスのなかから、最も検出相関値の大きいパスを、１ｓｔメインパスタイミングに対応するパスとして選択する。
（３）第３の方法として、追尾状態になっている２ｎｄメインパスタイミングとして割り当てられた複数のパスのなかから、各追尾パス候補判定回路のもつ相関値安定度情報をもとに最も相関値変動の小さいパスを、１ｓｔメインパスタイミングに対応するパスとして選択する。
【００６４】
つぎに、「追尾パス保持状態」のとき、追尾パス選択回路３では、ＲＡＫＥパス検出回路１にてＲＡＫＥパスが更新されるたびに、そのＲＡＫＥパス検出結果と現在の１ｓｔメインパスタイミングとを比較し、更新処理を行うかどうかを判断する。具体的にいうと、
（１）たとえば、現在の１ｓｔメインパスタイミングと比較して、ＲＡＫＥパスが、予め規定された所定のサンプル数の誤差内に存在する場合には、そのＲＡＫＥパスのタイミングをつぎの１ｓｔメインパスタイミングとして設定する。
（２）また、現在の１ｓｔメインパスタイミングと比較して、予め規定された所定のサンプル数の誤差内に複数個のパスが存在するような場合には、最も１ｓｔメインパスタイミングに近いパスのタイミングをつぎの１ｓｔメインパスタイミングとして設定する。
（３）また、現在の１ｓｔメインパスタイミングと比較して、予め規定された所定のサンプル数の誤差内に複数個のパスが存在し、さらに１ｓｔメインパスタイミングから等距離かつ両極に２つのパスが存在するような場合には、検出相関値高い方のパスのタイミングをつぎの１ｓｔメインパスタイミングとして設定する。
（４）また、上記（３）と同様の場合には、過去の追尾方向と同一の追尾極性方向をもつパスのタイミングをつぎの１ｓｔメインパスタイミングとして設定することとしてもよい。
【００６５】
なお、「追尾パス保持状態」の追尾パス選択回路３は、現在の１ｓｔメインパスタイミングと比較して、予め規定された所定のサンプル数の誤差内にパスが存在しないような場合、あるいは、所定のサンプル数の誤差内にパスが存在するが検出相関値が一定のしきい値に達しないような場合に、「前方保護状態」に遷移する。
【００６６】
最後に、「前方保護状態」のとき、追尾パス選択回路３では、現在の１ｓｔメインパスタイミングと比較して、予め規定された所定のサンプル数の誤差内にパスが存在しないような場合においても、前方保護段数以内にパスが存在するのであれば、現在の追尾パスを１ｓｔメインパスタイミングに対応するパスとして保持する。すなわち、パスの更新を行わない。一方、前方保護段数以上にわたって連続してパスが存在しないのであれば、追尾パス選択回路３は、状態を「前方保護状態」から「パス選択状態」に遷移する。
【００６７】
このように、本実施の形態においては、追尾パス選択回路３を備えることで、たとえば、「パス選択状態」に遷移した場合においても、後方保護状態に遷移することなく、上記のように、２ｎｄメインパスタイミングから最適な１ｓｔメインパスタイミングを選択することで、ただちに「追尾パス保持状態」に移行できるため、タイミング補正にかかる動作速度を大幅に向上させることができる。
【００６８】
つぎに、上記追尾パス候補判定回路２ａ，２ｂ，２ｃ…の動作を詳細に説明する。図３は、各追尾パス候補判定回路の状態遷移を示す図である。各追尾パス候補判定回路は、状態として、たとえば、「パス選択状態」，「後方保護状態」，「前方保護状態」，および「追尾パス保持状態」を有し、それぞれ異なるパスに対して追従動作を行う。
【００６９】
まず、「パス選択状態」のとき、たとえば、ｍ（任意の整数）個の追尾パス候補判定回路では、ＲＡＫＥパス検出回路１にて検出されたすべてのパスのなかから検出相関値の大きい順に、ｍ個のパスが割り当てられ、それぞれのパスに対応する「パスのタイミング」と「検出相関値」とを受け取る。そして、各追尾パス候補判定回路では、割り当てられたパスに対応する２ｎｄメインパスタイミングを出力し、その後、「後方保護状態」に遷移する。
【００７０】
つぎに、「後方保護状態」のとき、各追尾パス候補判定回路では、現在の２ｎｄメインパスタイミングと比較して、予め規定された所定のサンプル数の誤差内にパスが存在しないような場合、状態を「後方保護状態」から「パス選択状態」に遷移する。一方、予め規定された所定のサンプル数の誤差内にパスが存在し、かつ後方保護段数以上にわたって連続してパスが存在するのであれば、各追尾パス候補判定回路では、状態を「後方保護状態」から「追尾パス保持状態」に遷移する。
【００７１】
つぎに、「追尾パス保持状態」のとき、各追尾パス候補判定回路では、ＲＡＫＥパス検出回路１にてＲＡＫＥパスが更新されるたびに、そのＲＡＫＥパス検出結果と現在の２ｎｄメインパスタイミングとを比較し、更新処理を行うかどうかを判断する。具体的にいうと、
（１）たとえば、現在の２ｎｄメインパスタイミングと比較して、ＲＡＫＥパスが、予め規定された所定のサンプル数の誤差内に存在する場合には、そのＲＡＫＥパスのタイミングをつぎの１ｓｔメインパスタイミングとして設定する。
（２）また、現在の２ｎｄメインパスタイミングと比較して、予め規定された所定のサンプル数の誤差内に複数個のパスが存在するような場合には、最も２ｎｄメインパスタイミングに近いパスのタイミングをつぎの２ｎｄメインパスタイミングとして設定する。
（３）また、現在の２ｎｄメインパスタイミングと比較して、予め規定された所定のサンプル数の誤差内に複数個のパスが存在し、さらに２ｎｄメインパスタイミングから等距離かつ両極に２つのパスが存在するような場合には、検出相関値の高い方のパスのタイミングをつぎの２ｎｄメインパスタイミングとして設定する。
（４）また、上記（３）と同様の場合には、過去の追尾方向と同一の追尾極性方向をもつパスのタイミングをつぎの２ｎｄメインパスタイミングとして設定することとしてもよい。
【００７２】
また、各追尾パス候補判定回路では、「追尾パス保持状態」のとき、検出相関値の安定度情報を保持する。検出相関値の安定度は、当該検出相関値の変動幅を用いて計算する。たとえば、検出相関値の変動幅をＳ（ｘ）とし、時間ｘにおける検出相関値をＬ（ｘ）とすると、変動幅Ｓ（ｘ）は、（１）式のように表すことができる。
【００７３】
Ｓ（ｘ）＝｜Ｌ（ｘ）−Ｌ（ｘ−１）｜                  …（１）
ただし、ｘ＝０のとき、Ｓ（ｘ−１）＝０とする。また、ここでは、検出相関値の安定度情報を検出相関値の変動幅から計算したが、これに限らず、たとえば、上記変動幅の移動平均，過去の全変動幅の平均，変動幅の移動和，検出相関値の移動平均，またはこれらの値の組み合わせ、等から安定度情報を計算することとしてもよい。
【００７４】
なお、「追尾パス保持状態」の追尾パス候補判定回路は、現在の２ｎｄメインパスタイミングと比較して、予め規定された所定のサンプル数の誤差内にパスが存在しないような場合に、「前方保護状態」に遷移する。
【００７５】
最後に、「前方保護状態」のとき、各追尾パス候補判定回路では、現在の２ｎｄメインパスタイミングと比較して、予め規定された所定のサンプル数の誤差内にパスが存在しないような場合においても、前方保護段数以内にパスが存在するのであれば、現在の追尾パスを２ｎｄメインパスタイミングに対応するパスとして保持する。すなわち、パスの更新を行わない。一方、前方保護段数以上にわたって連続してパスが存在しないのであれば、追尾パス候補判定回路は、状態を「前方保護状態」から「パス選択状態」に遷移する。
【００７６】
このように、本実施の形態においては、上記２ｎｄメインパスタイミングを出力可能な複数の追尾パス候補判定回路を備えることで、たとえば、追尾パス選択回路３が、パスを見失った場合においても、迅速に最適なパスを選択することができるようになるため、より確実なクロック補正を実施できる。
【００７７】
また、本実施の形態においては、上記検出相関値の安定度情報を保持する複数の追尾パス候補判定回路を備えることで、たとえば、追尾パス選択回路３が、複数のパス候補のなかから最も安定したパスを選択できるようになる。これにより、マルチパスに対して誤って追従してしまうようなパス変更の頻度が大幅に低減され、従来発生していた無駄なクロック補正を防止することができる。
【００７８】
以上のように、本発明のかかるタイミング補正装置およびタイミング補正方法は、ＣＤＭＡ方式を採用する移動通信システムに有用であり、特に、当該移動通信システムに収容される移動局、すなわち、移動通信システム内において同期制御を必要とする携帯電話等の復調装置に適している。
【００７９】
【発明の効果】
以上説明したとおり、この発明によれば、各判定基準生成手段からの出力に基づいて受信基準タイミング周辺の最適なパスを選択し、当該選択パスと予め規定された受信基準タイミングとの位相差に基づいて内部クロックを補正することで、常にサーチャおよびフィンガのウィンドウの中心を、受信基準タイミングにあわせ込む。これにより、受信基準タイミング周辺のマルチパス検出を効率的に行うことができるため、受信基準タイミングの補正負荷量を減少させることができ、さらに、受信基準タイミング周辺以外でもパスの更新を行う従来技術と比較して、パス割り当て更新の頻度を大幅に低減させることができる、という効果を奏する。
【図面の簡単な説明】
【図１】  第１図は、本発明にかかるタイミング補正装置の構成を示す図である。
【図２】  第２図は、追尾パス選択回路の状態遷移を示す図である。
【図３】  第３図は、各追尾パス候補判定回路の状態遷移を示す図である。
【図４】  第４図は、従来のタイミング補正装置の構成を示す図である。
【符号の説明】
１  ＲＡＫＥパス検出回路
２ａ，２ｂ，２ｃ  追尾パス候補判定回路
３  追尾パス選択回路
４  受信基準カウンタ
５  比較回路
６  タイミング補正制御回路
７  クロック発生回路（Ｃｌｏｃｋ  Ｇｅｎ）
【図１】
0003828074.tif 000002
【図２】
0003828074.tif 000003
【図３】
0003828074.tif 000004
【図４】
0003828074.tif 000005